(57)【要約】【課題】内箱に形成されたラックにトレー１９を挿入して装着する際に、これらが擦り合う際に発生するビビリを防止して、異音の発生を抑制する。【解決手段】リブ２１がラックと接触する面積を小さくするように、当該リブ２１を切欠いて切欠部２３ａ（２３）を形成する。これにより、トレー１９がラックとの擦れ合いによる異音の発生を抑制して、利用者に不快感を与えないようにしたことを特徴とする。【選択図】        図４
2004177070.tif 000002
【特許請求の範囲】
【請求項１】
冷蔵庫の庫内を形成する内箱に相対向して形成された凹状のラックに、周端部に設けられたリブを挿入して棚を形成する冷蔵庫用トレーにおいて、
前記リブと前記ラックとの接触面積が小さくなるように、当該リブが該ラックと接触する部分を複数箇所切欠して切欠部を形成したことを特徴とする冷蔵庫用トレー。
【請求項２】
前記切欠部が、断面矩形状の前記リブにおける端部コーナを切欠いて形成したことを特徴とする請求項１記載の冷蔵庫用トレー。
【請求項３】
前記切欠部が、断面矩形状の前記リブにおける側端面を切欠いて形成したことを特徴とする請求項１記載の冷蔵庫用トレー。
【請求項４】
冷熱を発生する冷凍回路を備えて、前記冷熱により庫内を冷却する冷蔵庫であって、請求項１乃至４いずれか１項記載の冷蔵庫用トレーを備えることを特徴とする冷蔵庫。
【発明の詳細な説明】
【０００１】
【発明の属する技術分野】
本発明は、冷蔵室等に設けられた可動式のトレーがスムースに動き得るようにした冷蔵庫用トレー及びそれを用いた冷蔵庫に関する。
【０００２】
【従来の技術】
一般に、冷蔵庫（冷凍冷蔵庫を含む）は、鉄板の金属からなる外箱と合成樹脂等からなる内箱とが断熱材を挟んで一体に形成されて内部空間（庫内）を形成している。
【０００３】
そして、当該庫内に種々の食品は収納できるように、内箱にラックが設けられて、可動式トレーが装着可能に設けられている（特許文献１を参照）。
【０００４】
【特許文献１】
特開２００２−２２８３４９号公報
【０００５】
【発明が解決しようとする課題】
しかしながら、トレーとラックとの間には、水滴やゴミ等が入り込みやすいので、当該トレーとラックとの間の隙間を出きるだけ小さくすると、振動が生じた際、トレーを出し入れする際等において、トレーがラックと擦れ合い、異音が発生して利用者に不快感を与える場合があった。
【０００６】
そこで、本発明はトレーがラックとの擦れ合いによる異音の発生を抑制して、利用者に不快感を与えないようにした冷蔵庫用トレー及びそれを用いた冷蔵庫を提供することを目的とする。
【０００７】
【課題を解決するための手段】
上記課題を解決するため、請求項１にかかる発明は、冷蔵庫の庫内を形成する内箱に相対向して形成された凹状のラックに、周端部に設けられたリブを挿入して棚を形成する冷蔵庫用トレーにおいて、リブがラックと接触する面積を小さくするように、当該リブを切欠いて切欠部を形成して、トレーがラックとの擦れ合いによる異音の発生を抑制して、利用者に不快感を与えないようにしたことを特徴とする。
【０００８】
請求項２にかかる発明は、切欠部が、断面矩形状のリブにおける端部コーナを切欠いて形成したことを特徴とする。
【０００９】
請求項３にかかる発明は、切欠部が、断面矩形状のリブの側端面を切欠いて形成したことを特徴とする。
【００１０】
請求項４にかかる発明は、冷熱を発生する冷凍回路を備えて、冷熱により庫内を冷却する冷蔵庫であって、請求項１乃至３いずれか１項記載の冷蔵庫用トレーを備えることを特徴とする。
【００１１】
【発明の実施の形態】
本発明の実施の形態を図を参照して説明する。図１及び図２は冷蔵庫の概略構成を示す図で、図１は正面斜視図であり、図２は側断面図である。
【００１２】
当該冷蔵庫の筐体は、鉄板の金属からなる外箱１とＡＢＳ等の合成樹脂からなる内箱２とが発泡ポリウレタン等の発砲断熱材３を挟んで一体に形成されている。
【００１３】
そして、内部空間には冷蔵室側仕切壁１５及び冷凍室側仕切壁１６が設けられて冷蔵室４、野菜室６、セレクトルーム８、アイスルーム７、冷凍室５等が形成されている。また、冷蔵室４にはトレー１９が複数設けられている。
【００１４】
冷蔵室４の下端部には、氷を作るための水が貯留される給水タンク１０が設けられ、またアイスルーム７には製氷装置１１、及びこの製氷装置で作られた氷を蓄える貯氷箱１２が設けられている。
【００１５】
冷蔵室４は、冷凍しない温度での保存を目的とした食品が収納されるもので、当該冷蔵室４の下部に内氷温室１３が設けられている。
【００１６】
野菜室６は果物や野菜等を保存するために用いられ、アイスルーム７は氷を貯氷したりアイスクリームを保存したりするために用いられる。また、冷凍室５は冷凍保存する食品の収納に用いられる。
【００１７】
セレクトルーム８は、例えば約３℃に設定されて冷蔵室、約１℃に設定されたチルド室、約−１℃に設定された内氷温室、約−３℃に設定されたパーシャル室、約−７℃に設定されたやわらか冷凍室、約−１８℃に設定された冷凍室として切換えて利用されるものである。
【００１８】
当該冷蔵庫には冷凍回路が設けられ、当該冷凍回路は冷媒を圧縮する圧縮機２２、圧縮されて高温となった冷媒を放熱させて凝縮させる図示しない凝縮器、冷媒を減圧させる図示しない減圧装置、冷媒を蒸発させて冷熱を発生する冷蔵室側蒸発器２５及び冷凍室側蒸発器２６等を有し、冷媒が循環する冷凍サイクルを構成している。
【００１９】
この冷蔵室側蒸発器２５と冷凍室側蒸発器２６とは同時に運転されるとは限らず、どちらか一方が運転される場合には、その方の蒸発器に冷媒が循環するように図示しない３方弁が制御され、同時運転する場合には両方の蒸発器に冷媒が循環するように制御される。
【００２０】
圧縮機２２は、冷蔵庫の底部下側に配設され、また冷蔵室側蒸発器２５は冷蔵室４の上部背面側に、冷凍室側蒸発器２６は冷凍室５やアイスルーム７の背面側に設けられている。
【００２１】
冷蔵室側蒸発器２５には軸流ファン４３が、冷凍室側蒸発器２６にはプロペラファン４４がそれぞれ対応して設けられて、冷気をそれぞれの部屋に送風している。
【００２２】
また、冷蔵室４には開口部側天井に設けられて当該冷蔵室４の扉が開けられた際に冷気のエアーカーテンを形成する天井吹出口２９、各トレー１９に対応して設けられて冷蔵室４の後部側に設けられたトレー吹出口３０が設けられている。
【００２３】
野菜室６には、かかる吹出口は設けられておらず、冷蔵室側仕切壁１５に設けられた冷蔵室側連通孔１７から冷蔵室４の空気が流入することにより冷気が供給されるようになっている。
【００２４】
そして、当該野菜室６の空気は、クロスフローファン４３により吸気されて野菜室吸気口３２から冷蔵室側蒸発器２５を介して冷蔵室４に吹出されるようになっている。
【００２５】
一方、冷凍室５、アイスルーム７、セレクトルーム８にはそれぞれ冷凍室側吹出口３１が設けられると共にアイスルーム７やセレクトルーム８と冷凍室５とを仕切る冷凍室側仕切壁１６に設けられた冷凍室側連通孔１８を介して、当該アイスルーム７、セレクトルーム８の空気が冷凍室５に流入し、当該冷凍室５に設けられた冷凍室吸気口３３からプロペラファン４４により吸気されて冷凍室側吹出口３１から吹出すことにより循環するようになっている。
【００２６】
図３（ａ）はトレー１９の正面斜視図であり、図３（ｂ）は図３（ａ）におけるＡＡ矢視断面図である。
【００２７】
このトレー１９は、平板状のトレー板２０と、その前端部を除いた周辺部に設けられたリブ２１とにより形成され、例えばＧＰ−ＰＳ樹脂の合成樹脂を材料として形成されている。
【００２８】
一方、内箱２には凹状の溝からなるラック９が相対向して形成されて、当該ラック９にリブ２１が挿入されることによりトレー１９の装着が行えるになっている。
【００２９】
このとき、リブ２１がラック９と擦り合う（摺動する）ため、時にはビビリが発生して異音が発生することがある。そこで、本発明では、図３に示すように、リブ２１の側端面を台形柱状に切欠いてなる切欠部２３を設けている。
【００３０】
以下、このような側端面を切欠いて形成した切欠部２３を側端面切欠部２３ａと記載し、後述するリブ２１の側端部コーナを切欠いて形成した切欠部２３をコーナ切欠部２３ｂと記載する。そして、これらを総称して切欠部２３と記載する。また、説明の都合から切欠部２３以外の部分を非切欠部２４と記載する。
【００３１】
また、本実施の形態では、リブ２１の一部を切欠いて切欠部２３を形成する場合について説明するが、例えばリブ２１に非切欠部２４を付加して、結果として切欠部２３を形成したと同様の形状にしても良いことは明らかである。本明細書では、「リブ２１の一部を切欠いて切欠部２３を形成する」には、「リブ２１の一部を切欠いて切欠部２３を形成する場合」のみならず「リブ２１に非切欠部２４を付加する場合」も含むものとする。
【００３２】
この側端面切欠部２３ａにより、リブ２１とラック９と擦り合う面積が減少するので、振動によりリブ２１とラック９とが摺り合った際に生じるビビリが減少して異音の発生が抑制することが可能になる。
【００３３】
側端面切欠部２３ａの切欠深さＬ１は、図３（ｂ）に示すように、ラック９の深さＬ２より適宜大きくすることが好ましい。
【００３４】
このように、Ｌ１≧Ｌ２の関係を満たすように、側端面切欠部２３ａを形成することにより、例えばゴミがリブ２１とラック９との隙間に入り込んでも、当該ゴミはこの隙間内で動きえるため、当該ゴミの侵入によりトレー１９がスムースに動かなくなった際にビビリが発生することが防止できるようになる。
【００３５】
なお、リブ２１とラック９との隙間に入り込んだゴミが、側端面切欠部２３ａとラック９との間に生じる隙間ΔＬ（＝Ｌ１−Ｌ２）から落ちることが予想され、かかる事態は食品等を収納する冷蔵庫においては衛生上余り好ましいことではないので、この隙間ΔＬ（＝Ｌ１−Ｌ２）を十分小さくることが好ましい。
【００３６】
側端面切欠部２３ａ以外の構成としては、図４〜図６に示すような形状も可能である。
【００３７】
図４は、側端面切欠部２３ａを複数形成した場合である。図３に示すように大きな側端面切欠部２３ａを設けると、トレー１９を引出した際に、当該トレー１９における前端側の非切欠部２４がラック９から外れて支持を失う不都合がある。
【００３８】
これに対して、図４のように複数の側端面切欠部２３ａを設けると、かかる不都合が防止できるようになる利点がある。
【００３９】
また、切欠部２３を設けても非切欠部２４はラック９と擦り合うので、この領域でビビリが発生することが予期される。
【００４０】
しかし、複数の非切欠部２４を設けることにより、各非切欠部２４でそれぞれビビリが発生しても、これらが共鳴等することは希で、大概の場合は各非切欠部２４で発生するビビリの位相がそれぞれずれて相互に打消し合う成分が発生して、大幅に異音の発生が低減できるようになる利点がある。
【００４１】
また、切欠部２３を複数形成することにより、ラック９によるトレー１９の支持は複数の非切欠部２４を介して行われて支持力が一様化するため、トレー１９の強度を低下させる恐れが少なくなる利点がある。
【００４２】
さらに、トレー１９の後端部にもかかる切欠部２３を設けると、トレー１９の挿入完了時に当該後端部がラック９と擦れ合う面積が少なくなるので、その際の異音の発生が抑制することが可能になる。
【００４３】
図５に示す切欠部２３は、リブ２１の上端部コーナを切欠いてコーナ切欠部２３ｂを形成した場合であり、図６はリブ２１の上端部コーナ及び下端部コーナを共に切欠いてコーナ切欠部２３ｂを形成した場合を示している。
【００４４】
図５（ａ）及び図６（ａ）はトレー１９の斜視図、図５（ｂ）及び図６（ｂ）は図５（ａ）及び図６（ａ）におけるＡＡ矢視断面図を示している。
【００４５】
なお、図５、図６においては、複数のコーナ切欠部２３ｂを形成した場合を示しているが、図３に対応する構成として１のコーナ切欠部２３ｂを長く形成しても良く、またトレー１９の後端部にも形成しても良い。
【００４６】
このような構成にすることで、トレー１９の強度を損うことなくビビリの発生を減少させることが可能になって異音を抑制することが可能になる。
【００４７】
【発明の効果】
以上説明したように、本発明によれば、リブがラックと接触する面積を小さくするように、当該リブを切欠いて切欠部を形成したので、トレーがラックとの擦れ合いによる異音の発生が抑制され、利用者に不快感を与えないようになる。
【図面の簡単な説明】
【図１】冷蔵庫の正面斜視図である。
【図２】冷蔵庫の側断面図である。
【図３】トレーの構成図である。
【図４】図３に代るトレーの構成図である。
【図５】図３に代るトレーの構成図である。
【図６】図３に代るトレーの構成図である。
【符号の説明】
１  外箱
２  内箱
３  発砲断熱材
４  冷蔵室
９  ラック
１９  トレー
２０  トレー板
２１  リブ
２３  切欠部
２３ａ  側端面切欠部
２３ｂ  コーナ切欠部
２４  非切欠部
【図１】
2004177070.tif 000003
【図２】
2004177070.tif 000004
【図３】
2004177070.tif 000005
【図４】
2004177070.tif 000006
【図５】
2004177070.tif 000007
【図６】
2004177070.tif 000008